(57)【要約】【課題】  ピルファープルーフバンド側のブリッジ部の切断面が、径方向外側に向けて大きく張り出すことがなく、開栓後のキャップ付容器を取り扱う際に、手や口に違和感を覚えることのないピルファープルーフ用キャップ及びこのピルファープルーフ用キャップが被着されたキャップ付容器を提供する。【解決手段】  円板状の天板部１２と天板部１２の周縁から略垂下してなる周壁部１３を有し、周壁部１３の下部には径方向外側に突出された一対のビード部１４、１５が形成され、一対のビード部１４、１５の間に周方向に延びるスリット１８が形成されたピルファープルーフ用キャップ１１であって、一方のビード部１４の径方向外側の突出量が他方のビード部１５の径方向外側の突出量に比べて小さくなるように形成されており、スリット１８が一方のビード部１４側に形成されていることを特徴とする。【選択図】  図１
2006213387.tif 000002
【特許請求の範囲】
【請求項１】
円板状の天板部と該天板部の周縁から略垂下してなる周壁部を有し、該周壁部の下部には、リング状に径方向外側に突出された一対のビード部が形成され、該一対のビード部の間に、周方向に延びるスリットを有する押込凹部と前記一対のビード部を連結するブリッジ部とが、周方向で交互に位置するように形成されたピルファープルーフ用キャップであって、
前記一対のビード部のうち、一方のビード部の径方向外側への突出量が、他方のビード部の径方向外側への突出量に比べて小さくなるように形成されており、前記スリットが、前記一方のビード部側に形成されていることを特徴とするピルファープルーフ用キャップ。
【請求項２】
前記一対のビード部のうち、前記一方のビード部が上方に配置され、前記他方のビード部が下方に配置されたことを特徴とする請求項１に記載のピルファープルーフ用キャップ。
【請求項３】
前記一対のビード部のうち、前記一方のビード部が下方に配置され、前記他方のビード部が上方に配置されたことを特徴とする請求項１に記載のピルファープルーフ用キャップ。
【請求項４】
請求項１から請求項３のいずれかに記載のピルファープルーフ用キャップが、容器口金部に被着されたことを特徴とするキャップ付容器。
【発明の詳細な説明】
【技術分野】
【０００１】
本発明は、ボトル缶やガラスビンやＰＥＴボトル等に使用されるピルファープルーフ用キャップとこのピルファープルーフ用キャップが被着されたキャップ付容器に関する。
【背景技術】
【０００２】
近年、清涼飲料水などの飲料用容器として、ガラスビン、ＰＥＴボトル、アルミボトル缶等の開閉可能な容器が広く使用されており、これらの容器に使用されるキャップとしては、特許文献１、２、３に開示されているキャップの上部と下部とがブリッジ部にて連結されたピルファープルーフ用キャップが多く使用されている。
【０００３】
図９から図１２に、従来のピルファープルーフ用キャップを示す。図９に示すピルファープルーフ用キャップ１は、一般に、アルミあるいはアルミ合金や鉄等で構成されている。これらの金属板を絞り加工することにより、円板状の天板部２とこの天板部２から略垂下してなる周壁部３を有するカップ状の素材を成形し、この周壁部３の下部にキャップ１の径方向外側に突出する一対のビード部４、５を形成し、この一対のビード部４、５の間に、上記一対のビード部４、５を連結するブリッジ部６と押込凹部７とを周方向で交互に設けるとともに、この押込凹部７にキャップ１の周方向に延びるスリット８を形成することによって、上記キャップ１が成形される。そして、このスリット８よりも下側の部分がピルファープルーフバンド９とされる。
【０００４】
上記構成のピルファープルーフ用キャップ１は、容器の口金部に被せられ、口金部に形成された雄ネジ部及び膨出部の形状に沿うように上記周壁部が塑性変形させられ、容器の口金部に被着されて使用される。
上記のピルファープルーフ用キャップ１においては、キャップ１を口金部に対して相対的に回転させると、口金部に形成された雄ネジ部に沿うようにスリット８よりも上側の部分が上方に移動されながら回転する一方で、スリット８よりも下側の部分、つまりピルファープルーフバンド９が口金部の膨出部に係止されて回転するのみで上方に移動しないことにより、キャップ１の上部部分とピルファープルーフバンド９とが上下に離間され、押込凹部７と押込凹部７の間に設けられたブリッジ部６がスリット８に沿って切断されるように構成されている。
【０００５】
したがって、このブリッジ部６が切断されているかどうかを目視確認することにより、このピルファープルーフ用キャップ１が被着されたキャップ付容器が開栓されたかどうかを容易に確認でき、いたずら等を防止できるものである。
【特許文献１】特開２００１−２７０５９６号公報
【特許文献２】特公昭５７−３７５１８号公報
【特許文献３】実開昭５３−１０８５５３号公報
【発明の開示】
【発明が解決しようとする課題】
【０００６】
ところで、特許文献１、２に記載されているような従来のピルファープルーフ用キャップ１においては、図１０、図１１に示すように、一対のビード部４、５の間に設けられたスリット８の切断面が、ブリッジ部６に対してキャップ１の径方向内側に位置し、ブリッジ部６のうちこのスリット８と隣接する部分が、ビード部４のなす面に沿って径方向外側に向いて配置されている。このキャップ１が開栓された後のピルファープルーフバンド９側の水平断面（図９のＸ−Ｘ断面）においては、図１２に示すように、ブリッジ部６がスリット８の切断面に対してキャップ１の径方向外側に大きく張り出してしまうことになる。
【０００７】
また、ビード部４、５の突出量が大きすぎる場合には、ブリッジ部６が弓形状となり、キャップ１に圧縮応力が加わった際に、ブリッジ部６が座屈しやすくなってしまう。また、ビード部４、５の突出量が小さすぎる場合には、ネジ切りローラーあるいはすそ巻きローラーがビード部４、５を乗り越えて、ビード部４、５自体を潰してしまうおそれがある。このため、ビード部４、５の突出量は一定範囲内とすることが必要であり、ビード部４、５の突出量を極端に小さくすることでブリッジ部６の張り出しを抑制することはできない。
【０００８】
したがって、上記のピルファープルーフ用キャップ１が被着されたキャップ付容器を開栓して取り扱う際には、開栓後のキャップ付容器の口金部に係止されているピルファープルーフバンド９のブリッジ部６がキャップ１径方向外側に大きく張り出しているので、このブリッジ部６によって手や口に違和感を覚えるといった問題があった。
【０００９】
本発明は、上記の事情に鑑みてなされたものであって、ピルファープルーフバンド側のブリッジ部が、キャップ径方向外側に向けて大きく張り出すことがなく、開栓後のキャップ付容器を取り扱う際に、手や口に違和感を覚えることのないピルファープルーフ用キャップ及びこのピルファープルーフ用キャップが被着されたキャップ付容器を提供することを目的とする。
【課題を解決するための手段】
【００１０】
上記課題を解決するために、この発明は、以下の手段を提供している。
請求項１に記載のピルファープルーフ用キャップは、円板状の天板部と該天板部の周縁から略垂下してなる周壁部を有し、該周壁部の下部には、リング状に径方向外側に突出された一対のビード部が形成され、該一対のビード部の間に、周方向に延びるスリットを有する押込凹部と前記一対のビード部を連結するブリッジ部とが、周方向で交互に位置するように形成されたピルファープルーフ用キャップであって、前記一対のビード部のうち、一方のビード部の径方向外側への突出量が、他方のビード部の径方向外側への突出量に比べて小さくなるように形成されており、前記スリットが前記一方のビード部側に形成されていることを特徴とする。
【００１１】
上記の構成のピルファープルーフ用キャップにおいては、一対のビード部のうち一方のビード部の突出量が他方のビード部の突出量より小さくされ、この突出量が小さくされた一方のビード部側にスリットが形成されており、このスリットに沿ってブリッジ部が切断された際に、ピルファープルーフバンド側のブリッジ部が、突出量が小さくされた一方のビード部のなす面に沿うことになる。
【００１２】
請求項２に記載のピルファープルーフ用キャップは、前記一対のビード部のうち、前記一方のビード部が上方に配置され、前記他方のビード部が下方に配置されたことを特徴とする。
上記の構成のピルファープルーフ用キャップにおいては、ピルファープルーフバンド側に突出量の大きい他方のビード部が配置され、ピルファープルーフバンド側のブリッジ部が、この他方のビード部の内側に位置される。
【００１３】
請求項３に記載のピルファープルーフ用キャップは、前記一対のビード部のうち、前記一方のビード部が下方に配置され、前記他方のビード部が上方に配置されたことを特徴とする。
上記の構成のピルファープルーフ用キャップにおいては、ブリッジ部の切断面がピルファープルーフバンド側に近い部分に形成され、ピルファープルーフバンド側にブリッジ部がバリとして残存する高さが小さくなる。
【００１４】
請求項４に記載のキャップ付容器は、請求項１から請求項３のいずれかに記載のピルファープルーフ用キャップが、容器口金部に被着されたことを特徴とする。
上記の構成のキャップ付容器においては、一対のビード部のうち一方のビード部の突出量が他方のビード部の突出量より小さくされ、この突出量が小さくされた一方のビード部側にスリットが形成されたキャップが口金部に被着されており、キャップを開栓した際に、口金部の膨出部に係止されたピルファープルーフバンド側のブリッジ部が、突出量が小さくされた一方のビード部のなす面に沿うことになる。
【発明の効果】
【００１５】
請求項１に記載の発明によれば、ピルファープルーフバンド側のブリッジ部が、突出量が小さくされた一方のビード部のなす面に沿うので、ブリッジ部がキャップの径方向外側に向けて大きく張り出すことがなく、開栓後のキャップ付容器を取り扱う際に、ピルファープルーフ側のブリッジ部によって手や口に違和感を覚えることを防止できる。
【００１６】
請求項２に記載の発明によれば、ピルファープルーフバンド側のブリッジ部が、突出量の大きな他方のビード部の内側に位置するので、開栓後のキャップ付容器を取り扱う際に、手や口に違和感を覚えることを確実に防止できる。
【００１７】
請求項３に記載の発明によれば、ブリッジ部の切断面がピルファープルーフバンド側に近い部分に形成され、ピルファープルーフバンド側にブリッジ部がバリとして残存する高さが小さくなるので、開栓後のキャップ付容器を取り扱う際に、手や口に違和感を覚えることを確実に防止できる。
【００１８】
請求項４に記載の発明によれば、キャップを開栓した際に、口金部の膨出部に係止されたピルファープルーフバンド側のブリッジ部が、突出量が小さくされた一方のビード部のなす面に沿うことになるので、ブリッジ部がキャップの径方向外側に向けて大きく張り出すことがなく、開栓後のキャップ付容器を取り扱う際に、ピルファープルーフ側のブリッジ部によって手や口に違和感を覚えることを防止できる。
【００１９】
以上のように、本発明によれば、ピルファープルーフバンド側のブリッジ部が、径方向外側に向けて大きく張り出すことがなく、開栓後のキャップ付容器を取り扱う際に、手や口に違和感を覚えることのないピルファープルーフ用キャップ及びこのピルファープルーフ用キャップが被着されたキャップ付容器を提供することができる。
【発明を実施するための最良の形態】
【００２０】
本発明の実施形態について図面を用いて説明する。図１に本発明の第１の実施形態であるピルファープルーフ用キャップを示す。
ピルファープルーフ用キャップ１１は、略円板状の天板部１２と天板部１２から略垂下してなる周壁部１３とを有する。キャップ１１の上方には、周壁部１３の内面側に凹んだ凹部を周方向に繰り返したナール部が形成されており、天板部１２の内面側には、ポリプロピレン等の樹脂で構成されたシート状のライナーが装入され、上記のナール部の凹部によって掛止されている。また、ナール部の下側にはキャップ１１の径方向内側にリング状に凹んだグルーブ部が形成されている。
【００２１】
そして、キャップ１１の下方には、キャップ１１の径方向外側に突出された一対のビード部１４、１５がそれぞれリング状に形成されており、この一対のビード部１４、１５のうち、キャップ１１上方側に位置するビード部１４のキャップ１１の径方向外側への突出量は、キャップ１１の下方側に位置するビード部１５のキャップ１１の径方向外側への突出量に比べて小さいものとされている。つまり、この第１の実施形態においては、キャップ１１の上方側に位置するビード部１４が上記一方のビード部とされ、キャップ１１の下方側に位置するビード部１５が上記他方のビード部とされている。具体的には、キャップ１１の上方側に位置するビード部１４の径方向への突出量は、周壁部１３を基準として０．２０ｍｍから０．５０ｍｍとされ、キャップ１１の下方側に位置するビード部１５の径方向への突出量は、周壁部１３を基準として０．５０ｍｍから１．０ｍｍとされている。
【００２２】
この一対のビード部１４、１５の間には、ブリッジ部１６と押込凹部１７とが周方向において交互に形成されており、押込凹部１７には、周方向に延びるスリット１８が形成され、このスリット１８よりも下側部分がピルファープルーフバンド１９とされている。また、一対のビード部１４、１５は、ブリッジ部１６によって連結され、つまり、キャップ１１の上部部分とピルファープルーフバンド１９とが上記ブリッジ部１６にて連結されている。
ここで、上記スリット１８は、キャップ１１の径方向外側への突出量が小さいキャップ１１の上方に位置するビード部１４側に形成されている。
【００２３】
図２に一対のビード部１４、１５の間に設けられたブリッジ部１６の断面を、図３にスリット１８が設けられた押込凹部１７の断面を示す。スリット１８の切断面は、ブリッジ部１６に対してキャップ１１径方向内側に位置し、ブリッジ部１６は上方に位置するビード部１４のなす面に沿うことになるが、この上方に位置するビード部１４の突出量が小さくされているので、ブリッジ部１６はキャップ１１の径方向外側に大きく向くことなく配置されている。
【００２４】
図４に、上記のピルファープルーフ用キャップ１１が使用されるキャップ付容器の一例としてキャップ付ボトル缶３１を示す。キャップ付ボトル缶３１は、アルミニウム合金などで形成された金属製ボトル缶３２（以下ボトル缶と称す）にキャップ１１が被着された構成となっている。ボトル缶３２は、円筒状の缶胴３３から上方に向かって縮径する縮径部３４を有し、縮径部３４の上方に口金部３５を備えている。口金部３５には、雄ネジ部３６と膨出部３７とカール部３８とが形成されている。
【００２５】
ピルファープルーフ用キャップ１１は、ボトル缶３２の口金部３５に被着されて使用される。すなわち、ピルファープルーフ用キャップ１１は、ボトル缶３２の口金部３５に被せられ、キャッピング装置のネジ形成ローラーがキャップ１１の周壁部１３に押し当てられた状態で口金部３５の周囲を回転し、口金部３５に形成された雄ネジ部３６に沿って転動することにより、キャップ１１の周壁部１３内面に口金部３５の雄ネジ部３６に対応した雌ネジを形成しつつ、口金部３５に被着され、口金部３５に形成された膨出部３７の下方には、ピルファープルーフバンド１９の下端がすそ巻きされ、ボトル缶３２の口金部３５に形成されたカール部３８とキャップ１１の天板部１２内面に装着されたライナーとが密着することで密封されている。
【００２６】
このようにピルファープルーフ用キャップ１１が被着されたボトル缶３２を開栓する際には、ボトル缶３２を一定位置に保持した状態で、当該キャップ１１を回転させる。この回転により、スリット１８よりも上側のキャップ１１上部部分が、口金部３５に形成された雄ネジ部３６に沿って上方に移動されながら回転する一方で、スリット１８よりも下側のピルファープルーフバンド１９が、口金部３５の膨出部３７に係止されて回転するのみで上方に移動しないことにより、キャップ１１の上部部分とピルファープルーフバンド１９とが上下に離間され、押込凹部１７と押込凹部１７との間に設けられたブリッジ部１６がスリット１８に沿って切断されてキャップ１１の上部部分がボトル缶３２より離脱され、ライナーと口金部３５のカール部３８とが離間することによって開栓される。
【００２７】
図５に、上記の構成のピルファープルーフ用キャップ１１のピルファープルーフバンド１９部分の水平断面（図１のＸ−Ｘ断面）を示す。
ピルファープルーフバンド１９側のブリッジ部１６が突出量の小さいキャップ１１の上方に位置するビード部１６のなす面に沿って配置されており、ピルファープルーフバンド１９側のブリッジ部１６は、図５に示すように、径方向外側に大きく張り出していないので、開栓後のキャップ付ボトル缶３１を取り扱う際に、手や口に違和感を覚えることを防止できる。
【００２８】
また、ブリッジ部１６がキャップ１１上部部分に近いところで切断されるので、キャップ１１上部部分側にバリとして残存するブリッジ部１６が少なくなり、キャップ１１上部部分を取り扱う際に、このバリによって手に違和感を覚えることを防止できる。
【００２９】
図６に、本発明の第２の実施形態であるピルファープルーフ用キャップを示す。このピルファープルーフ用キャップ４１においては、キャップ４１の下方に設けられた一対のビード部４４、４５のうち、キャップ４１上方側に位置するビード部４４のキャップ４１の径方向外側への突出量は、キャップ４１の下方側に位置するビード部４５のキャップ４１の径方向外側への突出量に比べて大きいものとされている。つまり、この第２の実施形態においては、キャップ４１の下方側に位置するビード部４５が一方のビード部とされ、キャップ４１の上方側に位置するビード部４４が他方のビード部とされている。具体的には、キャップ４１の上方側に位置するビード部４４の径方向への突出量は、周壁部１３を基準として０．５０ｍｍから１．０ｍｍとされ、キャップ４１の下方側に位置するビード部４５の径方向への突出量は、周壁部１３を基準として０．２０ｍｍから０．５０ｍｍとされている。
【００３０】
そして、この一対のビード部４４、４５の間には、ブリッジ部４６と押込凹部４７とが周方向において交互に形成され、押込凹部４７には、周方向に延びるスリット４８が形成されており、上記スリット４８は、キャップ４１の径方向外側への突出量が小さいキャップ４１の下方に位置するビード部４５側に形成されている。
【００３１】
図７に一対のビード部の間に設けられたブリッジ部４６の断面を、図８にスリット４８が設けられた押込凹部４７の断面を示す。スリット４８の切断面は、ブリッジ部４６に対してキャップ４１内方側に位置し、ブリッジ部４６は下方のビード部４５のなす面に沿うことになるが、この下方に位置するビード部４５の突出量が小さくされているので、ブリッジ部４６はキャップ４１の径方向外側に大きく向くことなく配置される。
【００３２】
上記のピルファープルーフ用キャップ４１においては、ピルファープルーフバンド４９側のブリッジ部４６が、突出量の小さい下方のビード部４５のなす面に沿って配置されており、ピルファープルーフバンド４９側のブリッジ部４６は、径方向外側に大きく張り出していないので、開栓後のキャップ付ボトル缶３１を取り扱う際に、手や口に違和感を覚えることを防止できる。
【００３３】
また、ブリッジ部４６の切断面がピルファープルーフバンド４９の近傍に形成されており、ブリッジ部４６がバリとして残存する高さが低くなっているので、開栓後のキャップ付ボトル缶３１を取り扱う際に、このバリによって手や口に違和感を覚えることを防止できる。
【００３４】
また、上方のビード部４４の突出量が大きくされているので、キャップ４１を巻き締めする際に、スレッドロールがビード部４４を乗り越えて、ビード部４４を潰してしまうおそれがなく、ブリッジ切れを起こすおそれがない。
【００３５】
なお、本実施形態においては、キャップ付容器として、金属製のボトル缶を使用したキャップ付ボトル缶で説明したが、これに限定されることはなく、例えば、ガラスビンやＰＥＴ容器に金属製ピルファープルーフ用キャップが装着されたものでも良い。
また、ピルファープルーフ用キャップの内部に装着されるライナーをシートタイプとしてナール部で掛止した構成のもので説明したが、これに限定されることはなく、例えば、ピルファープルーフ用キャップの内面に溶融した樹脂を乗せて型押成形したインシェルモールドタイプのライナーであっても良い。
【図面の簡単な説明】
【００３６】
【図１】本発明の第１の実施形態であるピルファープルーフ用キャップの部分断面図である。
【図２】図１のピルファープルーフ用キャップにおけるブリッジ部の断面拡大図である。
【図３】図１のピルファープルーフ用キャップにおけるスリットの断面拡大図である。
【図４】キャップ付ボトル缶の部分断面図である。
【図５】図１におけるＸ−Ｘ断面図である。
【図６】本発明の第２の実施形態であるピルファープルーフ用キャップの部分断面図である。
【図７】図６のピルファープルーフ用キャップにおけるブリッジ部の断面拡大図である。
【図８】図６のピルファープルーフ用キャップにおけるスリットの断面拡大図である。
【図９】従来のピルファープルーフ用キャップの部分断面図である。
【図１０】図９のピルファープルーフ用キャップにおけるブリッジ部の断面拡大図である。
【図１１】図９のピルファープルーフ用キャップにおけるスリットの断面拡大図である。
【図１２】図９におけるＸ−Ｘ断面図である。
【符号の説明】
【００３７】
１１、４１  ピルファープルーフ用キャップ
１２  天板部
１３  周壁部
１４、１５、４４、４５  ビード部
１６、４６  ブリッジ部
１７、４７  押込凹部
１８、４８  スリット
１９、４９  ピルファープルーフバンド
３１  キャップ付ボトル缶（キャップ付容器）
【図１】
2006213387.tif 000003
【図２】
2006213387.tif 000004
【図３】
2006213387.tif 000005
【図４】
2006213387.tif 000006
【図５】
2006213387.tif 000007
【図６】
2006213387.tif 000008
【図７】
2006213387.tif 000009
【図８】
2006213387.tif 000010
【図９】
2006213387.tif 000011
【図１０】
2006213387.tif 000012
【図１１】
2006213387.tif 000013
【図１２】
2006213387.tif 000014